(57)【要約】      （修正有）【課題】早期にマストを撤去しダメ穴開口を早く塞ぐ事で転落、飛来災害が無く、安全な作業環境が確保できる、移動クライミングクレーンの提供。【解決手段】  マスト４を昇降自在に上下するアウトマスト３に旋回体１を設けたクライミングクレーンでありマスト４を撤去する時は、構築された上階に受け構台７を設け、マスト４の上端にクライミング装置５を取付、クライミング装置５と旋回座２を昇降シリンダ６ーで繋ぎ旋回体１を降下し受け構台７とアウトマスト３を固定し不要なマスト４を撤去後ダメ穴開口９を早期に塞ぐ事が出来る、移動クライミングクレーン。【選択図】図１
2006290613.tif 000002
【特許請求の範囲】
【請求項１】
マストを昇降自在に上下するアウトマストに装架され旋回するクライミングクレーンであり、クライミング装置をマスト上端に取付、昇降シリンダーを用いてクライミングを行い構築物の上階に設けた受け構台とアウトマストを固定し、クレーンの反力を受け構台で支え、マストの撤去が出来るのを特徴とする、移動クライミングクレーン。
【請求項２】
請求項１記載のクライミングクレーンであって、構築物の上階に敷設した走行台車と旋回座を固定しマストを撤去し、走行が出来るのを特徴とする、移動クライミングクレーン。
【請求項３】
請求項１記載のクライミングクレーンであって、構築物の上階に設置される設備装置の基礎を用いて受け構台を敷設し、受け構台上を移動が出来るのを特徴とする移動クライミングクレーン。
【請求項４】
請求項１記載のクライミングクレーンであって、クライミング装置をアウトマストの下方に取付、クライミング装置とアウトマストを昇降シリンダーで繋ぎクライミングを行い、旋回座と受け構台を固定しマストの撤去を行う方法と、マスト上端にクライミング装置を取付る二つのクライミング方法が出来るのを特徴とする、移動クライミングクレーン。
【発明の詳細な説明】
【技術分野】
【０００１】  この発明は、構造物を建設するクライミングクレーンであり、クライミングを行い構築された上階に固定しクレーンを支えているマストを撤去する、クライミングクレーンに関する物である。
【背景技術】
【０００２】  従来のクライミングクレーンでは構築された上階に、クレーンを固定しマストを撤去する方法も有るがクライミング装置の撤去が危険であり、また移動しない為、屋上工事の進捗の障害となっている。【０００３】  これまでにも構築された上階に、伸縮するアウトリガーを具備したアウトマストを固定しマストを撤去する工法もあるが、構造が複雑で重くなりコストが高くなり、躯体への負担が軽いクレーンが望まれている。
【特許文献１】  特許２７４４５２３号
【特許文献２】  特許公開  平０７−１７２７６７号
【発明の開示】
【発明が解決しようとする課題】
【０００４】  ビル建設において早期にマスト開口を無くす工法が望まれるが、従来のクライミングクレーンはアウトマストの下方にクライミング装置を設けている為、旋回体の下方にあるアウトマスト、クライミング装置の解体作業が困難で危険を伴っていた。
【課題を解決するための手段】
【０００５】  この発明は、図１、図３、図６に示すようにマストを昇降自在に上下するアウトマストに旋回体を設けたクライミングクレーンであり、構築された上階に受け構台を設け、マストの上端にクライミング装置を取付、旋回体をクライミング装置の昇降シリンダーで降下し受け構台とアウトマストを接合し、旋回体を支えているマストの反力を無くし、マストを撤去後ダメ穴の開口を早期に塞ぐ事が出来る、移動クライミングクレーン。
【発明の効果】
【０００６】  この発明の移動クライミングクレーンの利点は、早期にマストを撤去しダメ穴開口を早く塞ぐ事で転落、飛来災害が無く、安全な作業環境が確保される。【０００７】  屋上等の上階に設置される設備機器の基礎を利用して安価な受け構台を設け、クレーンの設置場所を移動する事で設備工事に障害が無く、クレーンを必要な期間まで設置が可能となり有効に使える。【０００８】  下層階より仕上げ工事が進捗しても、ダメ穴開口からの雨水の浸入が無く、雨養生が不要となり、コストダウンと内装仕上げの品質確保が図れる。
【発明を実施するための最良の形態】
【０００９】  本発明は、図１、図３、図５、図６に示すようにマスト４を昇降するアウトマスト３に旋回体１を設けたクライミングクレーンであり、構造物が構築された上階に受け構台７を設け、クライミング装置５をマスト４の上端に取付、昇降シリンダー６で旋回座２とクライミング装置５を繋ぎ旋回体１を降下し、受け構台７とアウトマスト３を固定し、不要なマスト４を撤去後ダメ穴開口９を塞ぎ、受け構台７の上を設置場所へ移動し、基礎２３のアンカーボルト２６で固定し定置式ジブクレーンとなる、移動クライミングクレーン。
【実施例１】
【００１０】    図７、に示すようにクライミングを行い昇降する旋回体１を設けたクライミングクレーンであり、構造物が構築された上階に走行台車２７を敷設し、クライミング装置５と旋回座２を繋ぐ昇降シリンダー６で旋回体１を下げ、走行台車２７と旋回座２を固定し、マスト４を撤去後、走行式ジブクレーンとなり走行しダメ穴開口９を塞ぐ事が出来る、移動クライミングクレーン。
【実施例２】
【００１１】    図１に示すようにクライミングを行い昇降する旋回体１を設けたクライミングクレーンであり、構造物の上階に構築された設備装置の基礎２３を用いて受け構台７を敷設し、クライミング装置５と旋回座２を繋ぐ昇降シリンダー６で、旋回体１を降下し受け構台７とアウトマスト３を固定し、設置位置の移動が出来る、移動クライミングクレーン。
【実施例３】
【００１２】  図８に示すように、クライミング装置５をアウトマスト３の下方に具備し、昇降シリンダー６をアウトマスト３と繋ぎクライミングを行うもので、ジブ１４の根元部をマスト４が通過するフロアークライミングと、マスト４の上端にクライミング装置５を取付ける方法の、二通りのクライミングが出来る、移動クライミングクレーン。
【産業上の利用可能性】
【００１３】  本発明は構造物の建築工事において、躯体に貫通しているクレーンのマスト開口を早期に塞ぎ、屋上階に設けた構台上を移動し、工事の妨げにならず最後まで残せる、クライミングクレーンに関するものである。
【図面の簡単な説明】
【００１４】
【図１】この発明を示す立面の一部カット図である。
【図２】従来の技術を示す立面図である。
【図３】実施例２を示す立面の一部カット図である。
【図４】実施例１、２、３を示す平面の一部カット図である。
【図５】実施例２を示す立面の一部カット図である。
【図６】実施例１、２、３、を示す立面の一部カット図である。
【図７】実施例１を示す立面図である。
【図８】実施例３を示す立面図の一部カット図である。
【付号の説明】
【００１５】１・・・旋回体                      １６・・ウインチ
２・・・旋回座                      ２１・・柱
３・・・アウトマスト                ２２・・床
４・・・マスト                      ２３・・基礎
５・・・クライミング装置            ２４・・敷き桁
６・・・昇降シリンダー              ２５・・走行台車
７・・・受け構台                    ２６・・アンカーボルト
８・・・延長材                      ２７・・走行車輪
９・・・開口
１０・・ロックピン
１１・・旋回ベアリング
１２・・クライミングマスト
１３・・受け桁
１４・・ジブ
１５・・トラス
【図１】
2006290613.tif 000003
【図２】
2006290613.tif 000004
【図３】
2006290613.tif 000005
【図４】
2006290613.tif 000006
【図５】
2006290613.tif 000007
【図６】
2006290613.tif 000008
【図７】
2006290613.tif 000009
【図８】
2006290613.tif 000010